(57)【要約】 【課題】  メーカーが異なる転写具を収納して転写部を確実に保護し、転写部を覆う部材を設けてもなお操作性を向上させる。【解決手段】  カバー機構１は、転写具Ｔが挿入される筐体を分割して開閉部２Ａ及び収納部２Ｂを形成し、開閉部２Ａと収納部２Ｂの分割部位に開閉軸部２ａ及び係止部２ｂを設け、さらに収納部２Ｂの内壁面に弾性部材３を備えている。【効果】  弾性部材３が圧縮して収納部２Ｂへ挿入が可能な寸法、又は弾性部材３の復元力で収納部２Ｂ内で保持可能な寸法、かつ開閉部２Ａが開閉可能な寸法の転写具Ｔであればメーカーが異なっていても転写具を収納して転写部を保護できる。そして、メーカーが異なる転写具であっても均一に操作することができるようになる。【選択図】  図１
0003106294.tif 000002
【実用新案登録請求の範囲】
【請求項１】
転写具を保護するカバー機構であって、転写具が挿入される筐体を分割して形成した開閉部及び収納部と、前記開閉部と前記収納部の分割部位の正面視一端部に形成され、互いの一部を枢支する開閉軸部と、前記開閉部と前記収納部の分割部位の正面視他端部に形成され、互いの一部を係合したり係合を解除する係止部と、前記収納部の内壁面に設けられ、挿入された転写具を保持する弾性部材とを備えたことを特徴とするカバー機構。
【請求項２】
開閉軸部に設けられ、開閉部を常時開方向に付勢するばねを備えたことを特徴とする請求項１に記載のカバー機構。
【請求項３】
収納部の内壁面の弾性部材を常時該収納部中心方向に付勢するばねとすると共に、開閉部にストッパを設けたことを特徴とする請求項２に記載のカバー機構。
【請求項４】
開閉部の開位置における上部の一部を透明な部材としたことを特徴とする請求項１〜３のいずれかに記載のカバー機構。
【請求項５】
開閉部の開状態のときに該開閉部における収納部と最も接近する部位に指配置部を形成したことを特徴とする請求項１〜４のいずれかに記載のカバー機構。
【請求項６】
開閉部の開位置における下部の一部に車輪を設けたことを特徴とする請求項１又は２に記載のカバー機構。
【請求項７】
筐体を分割して形成した開閉部及び収納部と、前記開閉部と前記収納部の分割部位の正面視一端部に形成され、互いの一部を枢支する開閉軸部と、前記開閉部と前記収納部の分割部位の正面視他端部に形成され、互いの一部を係合したり係合を解除する係止部とを備えると共に、前記収納部に収納され、転写媒体が塗布された帯状テープを送り出す送出軸部及び被転写体に転写媒体を転写した後の帯状テープを巻き取る巻取軸部と、前記収納部から前記開閉部に向けて突出され、帯状テープに塗布された転写媒体を被転写体へ転写する転写部とを備えたことを特徴とする転写具。
【請求項８】
開閉軸部に設けられ、開閉部を常時開方向に付勢するばねを備えたことを特徴とする請求項７に記載の転写具。
【請求項９】
開閉部の開位置における上部の一部を透明な部材としたことを特徴とする請求項７又は８に記載の転写具。
【請求項１０】
開閉部の開状態のときに該開閉部における収納部と最も接近する部位に指配置部を形成したことを特徴とする請求項７〜９のいずれかに記載の転写具。
【請求項１１】
開閉部の開位置における下部の一部に車輪を設けたことを特徴とする請求項７又は８のいずれかに記載の転写具。
【考案の詳細な説明】
【技術分野】
【０００１】
本考案は、転写部を確実に覆って保護すると共に汎用性に優れ、また、転写部を覆う部材を設けてもなお操作性を向上させることができるカバー機構及び転写具に関する。
【背景技術】
【０００２】
液状の修正液や液状の糊やマーカーペンに代って普及している以下の構成の転写具が知られている。転写具は、その筐体内に、転写媒体が塗布された帯状テープを送り出す送出軸部及び被転写体に転写媒体を転写した後の帯状テープを巻き取る巻取軸部を備えている。また、筐体の一端部に形成された開口には、該開口から突出し、送出軸部から転写媒体を貼着した帯状テープを送り出して被転写体に対して転写媒体を転写すると共に、該帯状テープを該筐体内に送る転写部を備えている。
【０００３】
上記構成において、帯状テープに塗布された転写媒体とは、被転写体と他の貼着体とを貼り付けるための粘着性の塗膜、被転写体の記載を修正するための白色の塗膜、文字等をマーキングするための着色透明の塗膜、を意味する。つまり、転写具は、転写媒体の種類に拘わらず同様の構造とされている。
【０００４】
従来、こうした転写具において、筐体の開口から異物が侵入して巻取軸部や送出軸部の回転に異常を来たしたり、また、転写媒体の意図しない転写や開口から露出した転写媒体にごみや埃が付着して被転写体への転写力が低下することを防止するために、開口及び転写部を覆うカバーを設けるようにした例えば下記の構成がある。
【特許文献１】特開平１０−１１９４８８号公報
【特許文献２】特開平１１−１４７６５９号公報
【特許文献３】特開２００１−２６１２１８号公報
【０００５】
特許文献１（特開平１０−１１９４８８号公報）には、転写部を被装する保護筒を設けると共に、転写部が保護筒内に被装した時には保護筒と転写部を互いに係止する凹凸を該転写部に設けた構成が開示されている。
【０００６】
特許文献２（特開平１１−１４７６５９号公報）には、可撓性のシート状部材でなる蓋部材の一部が筐体に取り付けた状態で転写部に対して開閉する構成が開示されている。
【０００７】
特許文献３（特開２００１−２６１２１８号公報）には、転写部を覆うカバーを開いたときに、その一部が筐体に当接すると共に別の一部が被転写体に当接する構成が開示されている。
【考案の開示】
【考案が解決しようとする課題】
【０００８】
特許文献１〜３は、確かに転写部を覆う構成が開示されているが、いずれも汎用性に乏しい、つまり特許文献１〜３に係る転写具の構成において相互に保護筒、蓋部材、カバーを利用することができない。
【０００９】
また、特許文献１〜３は、転写部を保護筒、蓋部材、カバーで覆う点に特化しているが、転写部が即座に使用可能となるように露出させるなどの使い勝手の向上、デザイン性の付与、高級感を出すなどの市場の要求があった。
【００１０】
本考案が解決する課題は、メーカーの異なる転写具の場合に転写部を覆って保護することができず、汎用性に乏しいという点、さらに、転写部を覆う部材を設けることによって使い勝手が低下するという点、デザイン性の付与、高級感を出すという点である。
【課題を解決するための手段】
【００１１】
上記課題のうち、汎用性に乏しいという点、使い勝手が低下するという点、を解決するために、本考案のカバー機構は、転写具が挿入される筐体を分割して形成した開閉部及び収納部と、開閉部と収納部の分割部位の正面視一端部に形成され、互いの一部を枢支する開閉軸部と、開閉部と収納部の分割部位の正面視他端部に形成され、互いの一部を係合したり係合を解除する係止部と、収納部の内壁面に設けられ、挿入された転写具を保持する弾性部材と、を備えた。
【００１２】
また、上記問題点のうち、使い勝手が低下するという点、を解決するために、本考案の転写具は、筐体を分割して形成した開閉部及び収納部と、開閉部と収納部の分割部位の正面視一端部に形成され、互いの一部を枢支する開閉軸部と、開閉部と収納部の分割部位の正面視他端部に形成され、互いの一部を係合したり係合を解除する係止部と、収納部に収納され、転写媒体が塗布された帯状テープを送り出す送出軸部及び被転写体に転写媒体を転写した後の帯状テープを巻き取る巻取軸部と、収納部から開閉部に向けて突出され、帯状テープに塗布された転写媒体を被転写体へ転写する転写部と、を備えた。
【考案の効果】
【００１３】
本考案に係るカバー機構は、メーカーが異なる転写具そのものを筐体に挿入して使用できるようにしたので、汎用性に優れる。また、メーカーが異なることで転写具の筐体形状が異なって操作性も異なるといったことがなくなり、つまりどの転写具でも画一化された操作性となり使い勝手が向上する。
【００１４】
さらには、転写部や転写具を覆う部材としてではなくカバー機構そのものにも機能、例えば、開閉部がワンタッチで開状態になる、収納した転写具を突出させたり、一定の圧力で使用可能となる、転写部位が見やすくなる、持ちやすくなる、使用時の転写角度が安定する、といった機能を持たせることで、操作性や使い勝手の向上を図ることができる。
【００１５】
すなわち、通常の転写具では、デザイン性の向上、高級感を出すには限界があるが、本考案のカバー機構に収納して使用することで、カバー機構の形状や表面に模様、キャラクター等を設けたりするなどデザインの自由度がアップし、例えば高級ライターのイメージで転写具を取り扱うことができ、デザイン性、高級感を付与することができる。
【００１６】
また、本考案に係る転写具は、上記した本考案に係るカバー機構内に、転写具の構成を具備することで、汎用性は乏しくなるものの、カバー機構に付随する機能、例えば、開閉部がワンタッチで開状態になる、転写部位が見やすくなる、持ちやすくなる、使用時の転写角度が安定する、といった機能を持たせることで、操作性や使い勝手の向上を図ることができる。
【００１７】
また、カバー機構の形状や表面に模様、キャラクター等を設けたりするなどデザインの自由度がアップし、例えば高級ライターのイメージで転写具を取り扱うことができ、デザイン性、高級感を付与することができる。
【考案を実施するための最良の形態】
【００１８】
以下に、本考案に係るカバー機構の実施の形態を図を参照して説明する。なお、図中同じ部材においては同じ参照番号を付し、同じ参照番号の部材については特に必要のない限り重複する説明を省略する。
【００１９】
（形態１）
１は、転写具Ｔを挿入して保護するためのカバー機構であり、このカバー機構１の基本構成を図１に示す。
【００２０】
２は、転写具が挿入される例えば略直方体とされた筐体である。筐体２は、該筐体２の長さ方向Ｌの一方端部において該長さ方向Ｌに分割した開閉部２Ａと収納部２Ｂとが形成されている。
【００２１】
開閉部２Ａと収納部２Ｂの分割部位の正面視一端部には開閉軸部２ａが形成されている。開閉軸部２ａは、例えば次の構成とされている。開閉部２Ａにおいては、奥行き方向Ｄにおいて紙面手前から奥に亘る中央部に円筒部２ａａが形成されている。
【００２２】
一方、収納部２Ｂにおいては、奥行き方向Ｄにおける両端部に円筒部２ａｂが形成されている。円筒部２ａａ，２ａｂの円筒内にはピン２ａｃが挿入される。これら円筒部２ａａ，２ａｂ、ピン２ａｃによって開閉軸部２ａが構成される。
【００２３】
もちろん、開閉軸部２ａの構成としては、開閉軸部２ａを中心に開閉部２Ａが収納部２Ｂに対して開閉動作すべく回動するならば、上記に限定されることはない。
【００２４】
また、開閉部２Ａと収納部２Ｂの分割部位で高さ方向Ｈにおいて開閉軸部２ａが設けられた側と反対の端部には係止部２ｂが形成されている。係止部２ｂは、例えば次の構成とされている。収納部２Ｂにおいては、該収納部２Ｂ側から開閉部２Ａ側に突出するように爪２ｂａが形成されている。
【００２５】
また、爪２ｂａが形成された部位から長さ方向Ｌにおける転写具Ｔの挿入方向途中箇所には、該爪２ｂａと一体に形成され、その途中箇所が収納部２Ｂの外表面方向に盛り上がった操作部２ｂｂが形成されている。操作部２ｂｂの形成箇所からさらに爪２ｂａの形成された箇所と反対側は、収納部２Ｂの内面と一体とされている。
【００２６】
操作部２ｂｂは上記したように収納部２Ｂの外表面方向に盛り上がっており、これに対応して収納部２Ｂの操作部２ｂｂが配される位置には、突出孔２Ｂａが形成されている。つまり、操作部２ｂｂは、突出孔２Ｂａから突出しているのである。
【００２７】
一方、開閉部２Ａにおいては、爪２ｂａの係止部位に対応して窪部２Ａａが形成されている。つまり、係止部２ｂは、爪２ｂａ、操作部２ｂｂ、窪部２Ａａ、突出孔２Ｂａによって構成されているのである。
【００２８】
そして、収納部２Ｂの外表面側から操作部２ｂｂを該収納部２Ｂの内部へ押し込むように操作することで、この押し込みに応じて爪２ｂａが窪部２Ａａから外れることとなり、開閉部２Ａと収納部２Ｂとの係止部２ｂによる係止が解除される。
【００２９】
もちろん、係止部２ｂの構成としては、開閉部２Ａと収納部２Ｂとが係止されて該開閉部２Ａの閉状態を維持し、係止を解除して該開閉部２Ａを開状態とできるならば、上記に限定されることはない。
【００３０】
３は、収納部２Ｂの内壁面、すなわち、開閉部２Ａ側の１面を除く５面に設けられた弾性部材である。この弾性部材３は、本例では、例えば比較的小さい寸法とされる転写具Ｔが収納部２Ｂに挿入されて保持できる空間となるような厚みのウレタン樹脂やゴムを採用し、内面に貼着する。もちろん、弾性部材３は、図３などに示すように、ばねを採用してもよい。
【００３１】
以上の構成とした場合、カバー機構１は、収納部２Ｂに収納可能な大きさで、かつ開閉部２Ａが開閉可能な大きさの転写具Ｔを収納し、保護することができる。すなわちカバー機構１は次のように使用する。
【００３２】
まず、操作部２ｂｂを押し込んで係止状態を解除して開閉部２Ａを操作者により開状態とし、転写具Ｔを収納部２Ｂに収納する。転写具Ｔが収納部２Ｂに挿入される際、弾性部材３が圧縮される。従って、転写具Ｔは、収納部２Ｂへ収納が完了すると、弾性部材３の弾性復元力を受けて保持される。
【００３３】
なお、転写具Ｔは、開閉部２Ａが開閉可能で、かつ転写具Ｔの転写部が突出する位置まで挿入しているならば、長さ方向Ｌにおける奥まで挿入しなくてもよい。このとき、転写具Ｔは、４面の弾性部材３で保持されることになるが、弾性部材３の弾性復元力と材料の表面同士の摩擦力（特にウレタン樹脂やゴムなどを採用した場合）でもって強固に保持されるので、使用時に転写具Ｔが収納部２Ｂに埋まることがない。
【００３４】
そして、開閉部２Ａを操作者により閉状態とするが、このときは操作部２ｂｂを何ら操作しなくても開閉部２Ａを閉めれば、爪２ｂａと窪部２Ａａとが係止状態となる。その後、使用に応じて、係止部２ｂの係止状態を解除して開閉部２Ａを操作者により開状態とし、転写具Ｔの転写部を露出させて使用する。
【００３５】
（形態２）
次に示す例は、図２に示すように、開閉部２Ａがばねの付勢力で操作部２ｂｂの操作でワンタッチで開状態となる構成である。４は、開閉軸部２ａにおけるピン２ａｃに巻装され、開閉部２Ａを常時開方向に付勢する巻きばねである。
【００３６】
この巻きばね４は、開閉部２Ａにおける円筒部２ａａに収納されてピン２ａｃが挿入される。また、巻きばね４は、その両端が該巻きばね４の円弧の接線に対して９０°屈曲し、一端が開閉部２Ａの内面に係止され、他端が収納部２Ｂの内面に固定されている。なお、巻きばね４の一端は、開閉部２Ａの内面に固定してもよい。
【００３７】
つまり、操作部２ｂｂを押し込むと、爪２ｂａと窪部２Ａａとの係止状態が解除され、このときに、巻きばね４の復元しようとする付勢力によって開閉部２Ａが開状態となるのである。そして、開閉部２Ａを閉状態とするときには、巻きばね４の付勢力に抗して開閉部２Ａを回動させ、爪２ｂａと窪部２Ａａとを係止状態とする。
【００３８】
（形態３）
次に示す例は、図３〜図６に示すように、図２に示した例からさらに使い勝手の向上させることを目的とした構成である。図３〜図６において、３Ａは、弾性部材３として収納部２Ｂの長さ方向Ｌの奥側を除く４面の内壁面に設けられ、常時該収納部２Ｂの中心方向に付勢する板ばねである。
【００３９】
なお、もちろん弾性部材３としては上記したようにウレタン樹脂やゴムでもよいが、本例の場合は、ウレタン樹脂やゴムの摩擦が作用を阻害する可能性があるので、板ばね３Ａを採用した。ウレタン樹脂やゴムの摩擦が作用を阻害しない表面性状であるならばウレタン樹脂やゴムでもよい。
【００４０】
板ばね３Ａは、収納部２Ｂの長さ方向Ｌにおける中央がその両端部から次第に該収納部２Ｂの中心方向に盛り上がっており、両端部が収納部２Ｂにおける４面の各々に固定されている。
【００４１】
３Ｂは、弾性部材３として収納部２Ｂの長さ方向Ｌの奥側の内壁のみに設けられ、常時該収納部２Ｂの中心方向に付勢する、つまり自然長で伸張状態とされた巻きばねである。この巻きばね３Ｂは、例えば収納部２Ｂの長さ方向の奥側の面の中央部に一端部が設けられる。巻きばね３Ｂの他端部は、挿入された転写具Ｔに当接する。
【００４２】
５は、開閉軸部２ａに設けられたストッパである。例えばストッパ５は、滴水状とされ、円筒部２ａａ内においてその収束側に形成された孔にピン２ａｃが挿通されている。そしてストッパ５の一部に、巻きばね４の他端が固定されている。
【００４３】
巻きばね４は、常に開閉部２Ａを開状態にしようと付勢しているのであるが、この例では巻きばね４の他端がストッパ５に固定されている。このとき、巻きばね４の付勢力が開閉部２Ａを開状態としたときに巻きばね３Ｂの付勢力より若干弱い場合、開閉部２Ａを開状態としたときには、ストッパ５の長さ方向Ｌの奥側に回転しようとする力が弱くなる。  
【００４４】
この作用によって、開閉部２Ａが開状態となるときには、巻きばね３Ｂの付勢力によって転写具Ｔが開閉部２Ａ側に突出し、ストッパ５に当接した状態でそれ以上の突出が禁止される。そして、開閉部２Ａを巻きばね４の前記した付勢力に抗して閉状態としたときには、ストッパ５が長さ方向Ｌの奥側に回転し、このとき、巻きばね４の付勢力の方が巻きばね３Ｂよりも十分に強いからストッパ５によって転写具Ｔが収納部３Ｂの長さ方向Ｌの奥側に押し込まれる。
【００４５】
また、巻きばね４の付勢力が開閉部２Ａを開状態としたときに巻きばね３Ｂの付勢力より十分に大きい場合、開閉部２Ａを開状態としたときにも、ストッパ５の長さ方向Ｌの奥側に回転しようとする力が衰えないので、転写具Ｔは突出することがない。
【００４６】
ちなみに、交換時などに新しい転写具Ｔを収納部２Ｂに挿入するには、開閉部２Ａを開いて、ストッパ５を巻きばね４の付勢力に抗してさらに開閉部２Ａ側に押し倒しつつ挿入すればよい。
【００４７】
また、形態３では、巻きばね４を兼用する例を示したが、転写具Ｔを突出させない場合は、ストッパ５用の別のばねを設けても構わない。
【００４８】
（形態４）
次に示す例は、図７に示すように、開閉部２Ａを有することによって使い勝手を向上させることを目的とした構成である。６は、開閉部２Ａの開位置における上部の一部、この例では開閉部２Ａの閉位置において高さ方向Ｈの下端隅部に形成した窓である。この窓６には、透明な部材例えば無色透明なプラスチック板でなる透明板６Ａを嵌め込んでいる。  
【００４９】
この透明板６Ａを窓６に嵌め込んでいる理由は、開閉部２Ａを閉状態としたときに窓６からごみや埃が侵入してカバー機構１のそもそもの目的を達成することができなくなることを防止するためである。
【００５０】
よって、透明板６Ａを設けていることで、窓６からごみや埃が侵入することが防止され、また、開閉部２Ａを開状態として使用しようとするときには、窓６を介して転写具Ｔの転写部を見ることができる。つまり使い勝手が向上するのである。
【００５１】
さらに、透明板６Ａとしては、プラスチック板に代えて、レンズを窓６を嵌め込むことで、窓６を介して転写部位を拡大して見ることができ、的確な転写が行え、より一層使い勝手が向上する。
【００５２】
（形態５）
次に示す例は、図８に示すように、カバー機構１を容易に把持することを目的とした構成を示す。すなわち、７は、開閉部２Ａの開状態のときに収納部２Ｂと最も接近する部位、この例では、開閉部２Ａの閉位置において高さ方向Ｈの上端隅部に形成した指配置部である。
【００５３】
指配置部７は、転写時の持ちやすさを向上させるためのものである。この指配置部７は、指で収納部２Ｂを押さえることができ、また、開閉部２Ａが開状態のときに、該開閉部２Ａと収納部２Ｂとの間で指を挟んでしまうことを防止することができるよう、指の分だけ該開閉部２Ａの隅部を切り欠いた形状としている。
【００５４】
また、指配置部７において、切り欠いた形状の表面部に滑り止めの凹凸形状を形成しておくことで、使用後に開閉部２Ａを閉状態にしやすくなる。
【００５５】
（形態６）
次に示す例は、図９に示すように、カバー機構１によって使用時の使い勝手を向上させることを目的とした構成を示す。すなわち、この例に限っては、カバー機構１は、それまでの開閉軸部２ａの位置に係止部２ｂが、それまでの係止部２ｂの位置に開閉軸部２ａが設けられる。そして、カバー機構１は、開閉部２Ａが転写媒体を転写しようとする被転写体と接触する方向に開く点が、いままでの形態とは異なる。
【００５６】
８は、開閉部２Ａの開位置における下部の一部に設けた車輪である。この車輪８は、被転写体と接触し、該被転写体上で転がる。このように構成することで、車輪８と転写部とで転写具Ｔを収納したカバー機構１全体の使用角度が固定され、この結果、均一な使用感を得ることができる。なお、この例では、開閉部２Ａがそれまでとは反対に開閉するため、形態３〜形態５を同時に採用することができない。
【００５７】
（形態７）
図１０及び図１１は、本考案に係る転写具１１を示す。転写具１１は、次の構成とされる。１２は、筐体であり、この筐体１２は、該筐体１２の長さ方向Ｌの一方端部において該長さ方向Ｌに分割した開閉部１２Ａと収納部１２Ｂとが形成されている。
【００５８】
開閉部１２Ａと収納部１２Ｂの分割部位の正面視一端部には開閉軸部１２ａが形成されている。開閉軸部１２ａは、例えば次の構成とされている。開閉部１２Ａにおいては、奥行き方向Ｄにおいて紙面手前から奥に亘る中央部に円筒部１２ａａが形成されている。
【００５９】
一方、収納部２Ｂにおいては、奥行き方向Ｄにおける両端部に円筒部１２ａｂが形成されている。円筒部１２ａａ，１２ａｂの円筒内にはピン１２ａｃが挿入される。これら円筒部１２ａａ，１２ａｂ、ピン２ａｃによって開閉軸部２ａが構成される。
【００６０】
もちろん、開閉軸部１２ａの構成としては、開閉軸部１２ａを中心に開閉部１２Ａが収納部１２Ｂに対して開閉動作すべく回動するならば、上記に限定されることはない。
【００６１】
また、開閉部１２Ａと収納部１２Ｂの分割部位で高さ方向Ｈにおいて開閉軸部１２ａが設けられた側と反対の端部には係止部１２ｂが形成されている。係止部１２ｂは、例えば次の構成とされている。収納部１２Ｂにおいては、該収納部１２Ｂ側から開閉部１２Ａ側に突出するように爪１２ｂａが形成されている。
【００６２】
また、爪１２ｂａが形成された部位から長さ方向Ｌの途中箇所には、該爪１２ｂａと一体に形成され、その途中箇所が収納部１２Ｂの外表面方向に盛り上がった操作部１２ｂｂが形成されている。操作部１２ｂｂの形成箇所からさらに爪１２ｂａの形成された箇所と反対側は、収納部１２Ｂの内面と一体とされている。
【００６３】
操作部１２ｂｂは上記したように収納部１２Ｂの外表面方向に盛り上がっており、これに対応して収納部１２Ｂの操作部１２ｂｂが配される位置には、突出孔１２Ｂａが形成されている。つまり、操作部１２ｂｂは、突出孔１２Ｂａから突出しているのである。
【００６４】
一方、開閉部１２Ａにおいては、爪１２ｂａの係止部位に対応して窪部１２Ａａが形成されている。つまり、係止部１２ｂは、爪１２ｂａ、操作部１２ｂｂ、窪部１２Ａａ、突出孔１２Ｂａによって構成されているのである。
【００６５】
そして、収納部１２Ｂの外表面側から操作部１２ｂｂを該収納部１２Ｂの内部へ押し込むように操作することで、この押し込みに応じて爪１２ｂａが窪部１２Ａａから外れることとなり、開閉部１２Ａと収納部１２Ｂとの係止部１２ｂによる係止が解除される。
【００６６】
もちろん、係止部１２ｂの構成としては、開閉部１２Ａと収納部１２Ｂとが係止されて該開閉部１２Ａの閉状態を維持し、係止を解除して該開閉部１２Ａを開状態とできるならば、上記に限定されることはない。
【００６７】
１３は、収納部１２Ｂ及び開閉部１２Ａ内に内蔵された転写具構造であり、転写具構造１３は、次の構成とされる。１３Ａは、収納部１２Ｂの長さ方向Ｌの手前側に位置し、転写媒体が塗布された帯状テープＦを送り出す送出軸部である。１３Ｂは、収納部１２Ｂの長さ方向Ｌの奥側に位置し、被転写体に転写媒体を転写した後の帯状テープＦを巻き取る巻取軸部である。１３Ｃは、収納部１２Ｂから開閉部１２Ａに向けて突出され、帯状テープＦに塗布された転写媒体を被転写体へ転写する転写部である。
【００６８】
以上の構成とした場合、転写具１１は、操作部１２ｂｂを押し込んで係止状態を解除して開閉部１２Ａを操作者により開状態とし、転写部１３Ｃを露出させて使用する。使用の後、開閉部１２Ａを操作者により閉状態とするが、このときは操作部１２ｂｂを何ら操作しなくても開閉部１２Ａを閉めれば、爪１２ｂａと窪部１２Ａａとが係止状態となる。
【００６９】
このように構成した転写具１１は、転写部１３Ｃが確実に保護され、また、未使用時にあっては、転写媒体が不用意に転写されたり、帯状テープＦが引き出されたり、破損したりすることがない。
【００７０】
（形態８）
次に示す例は、上記した転写具１１において、図１１に示すように、開閉部１２Ａがばねの付勢力により、操作部１２ｂｂの操作によってワンタッチで開状態となる構成である。１４は、開閉軸部１２ａにおけるピン１２ａｃに巻装され、開閉部１２Ａを常時開方向に付勢する巻きばねである。
【００７１】
この巻きばね１４は、開閉部１２Ａにおける円筒部１２ａａに収納されてピン１２ａｃが挿入される。また、巻きばね１４は、その両端が該巻きばね１４の円弧の接線に対して９０°屈曲し、一端が開閉部１２Ａの内面に係止され、他端が収納部１２Ｂの内面に固定されている。なお、巻きばね１４の一端は、開閉部１２Ａの内面に固定してもよい。
【００７２】
つまり、操作部１２ｂｂを押し込むと、爪１２ｂａと窪部１２Ａａとの係止状態が解除され、このときに、巻きばね１４の復元しようとする付勢力によって開閉部１２Ａが開状態となるのである。そして、開閉部１２Ａを閉状態とするときには、巻きばね１４の付勢力に抗して開閉部１２Ａを回動させ、爪１２ｂａと窪部１２Ａａとを係止状態とする。
【００７３】
（形態９）
以下、本考案に係る転写具１１は、図７に示したように、開閉部１２Ａの開位置における上部の一部に窓６を設けて、この窓６に透明な部材例えば無色透明なプラスチック板でなる透明板６Ａを嵌め込んだ構成である。また、その場合には、透明板６Ａに代えて、レンズを窓６を嵌め込んでもよい。
【００７４】
（形態１０）
また、本考案に係る転写具１１は、図８に示したように、開閉部１２Ａの開状態のときに収納部１２Ｂと最も接近する部位、この例では、開閉部１２Ａの閉位置において高さ方向Ｈの上端隅部に形成した指配置部７を設ける構成である。また、その場合には、指配置部７の切り欠いた形状の表面部に滑り止めの凹凸形状を形成してもよい。
【００７５】
（形態１１）
また、本考案に係る転写具１１は、図９に示したように、開閉軸部１２ａの位置に係止部１２ｂを、それまでの係止部１２ｂの位置に開閉軸部１２ａを設けて、開閉部２Ａの開位置における下部の一部に車輪８を設ける構成である。なお、この例では、開閉部１２Ａがそれまでとは反対に開閉するため、形態９，１０を同時に採用することができない。
【実施例】
【００７６】
以下、本考案に係るカバー機構及び転写具の実施例を説明する。実施例１〜実施例６は本考案に係るカバー機構１について、実施例７〜実施例１１は本考案に係る転写具１１についてである。
【００７７】
（実施例１）
実施例１は、図１に示す構成（形態１）のカバー機構１についてである。形態１を採用した場合、カバー機構１は、開閉部２Ａを操作者自らが手で開く必要があるものの、収納部２Ｂに収納可能な大きさで、かつ開閉部２Ａが開閉可能な大きさのどのメーカーの転写具Ｔでも収納することができる。
【００７８】
そのうえ、転写部を保護する部材を有しない転写具Ｔも収納部２Ｂ内に収納し、開閉部２Ａでもって転写部を保護することができる。そして、メーカーによって異なるサイズや寸法の転写具Ｔを画一的に使うことができようになるから、使い勝手も均一的なものとなる。さらには、筐体２の形状や表面に模様、キャラクター等を設けたりするなどデザインの自由度がアップし、例えば高級ライターのイメージで転写具を取り扱うことができ、デザイン性、高級感を付与することができる。
【００７９】
（実施例２）
実施例２は、実施例１において、図２に示す構成（形態２）のカバー機構１を採用した場合についてである。このようにすることで、上記実施例１の作用効果を得られると共に、操作部２ｂｂを押し込むだけで、片手でしかもワンタッチで開閉部２Ａを即座に開状態とすることができるからさらに使い勝手が向上する。
【００８０】
（実施例３）
実施例３は、実施例２において、図３〜図６に示した構成（形態３）のカバー機構１を採用した場合についてである。このようにすることで、上記実施例２の作用効果を得られると共に、開閉部２Ａを開状態としたときに巻きばね４より若干巻きばね３Ｂの付勢力が強い場合は転写具Ｔが収納部２Ｂから突出するから、転写しようとする部位が見やすくなる。そして、開閉部２Ａを閉状態にする際には、突出していた転写部が再度収納部２Ｂ内に退入するから、開閉部２Ａを確実に閉状態とすることができる。
【００８１】
開閉部２Ａを開状態としたときに巻きばね４より若干巻きばね３Ｂの付勢力が弱い場合は転写具Ｔを収納部から突出させないようにすることもできる。このときにあっても、巻きばね３Ｂによって、カバー機構１全体に過度な圧力を掛けて使用する際の、過度な圧力がばね３Ｂで緩衝され、均一な使い心地となる。
【００８２】
また、特に形態３の構成では、開閉部２Ａを開状態にしようと付勢する巻きばね４を兼用してストッパ５の動作させるようにしているので、ストッパ５を動作させるための別部材を設けなくてもよく、コストダウンに貢献できる。もちろん、巻きばね４とは別のストッパ５用のばねを用いてもよい。
【００８３】
（実施例４）
実施例４は、実施例３において、図７に示した構成（形態４）のカバー機構１を採用した場合についてである。なお、実施例４では、窓６に嵌め込む透明板６Ａとしてレンズを採用した。このようにすることで、上記実施例３の作用効果を得られると共に、透明板６Ａ（レンズ）によって転写しようとする部位が拡大して見ることができるから、転写部位が見やすくなるばかりでなく、拡大されて確実に把握できることとなり、より一層使いやすくなる。
【００８４】
（実施例５）
実施例５は、実施例４において、図８に示した構成（形態５）のカバー機構１を採用した場合についてである。なお、実施例５では、指配置部７に凹凸形状を形成した。このようにすることで、上記実施例４の作用効果を得られると共に、指で収納部２Ｂを押さえることができ、また、開閉部２Ａが巻きばね４の付勢力によって勢いよく開状態となっても、該開閉部２Ａと収納部２Ｂとの間に指を挟んで怪我をすることがなくなり、安全に使用することができる。また、指配置部７に凹凸形状を形成することで、開閉部２Ａを閉める際に、指が滑ることが抑制され、使い勝手がさらに向上する。
【００８５】
（実施例６）
実施例６は、実施例２において、図９に示した構成（形態６）のカバー機構１を採用した場合についてである。なお、実施例６は、形態３〜形態５を同時に採用することができないが、上記実施例２の作用効果を得られると共に、車輪８によって転写部による転写角度が安定するから、均一な転写が実現され、この結果、さらに使い勝手が向上する。
【００８６】
なお、以上説明した実施例に限らず、実施例１（形態１）に形態２〜６の各々の構成を選択可能に組み合わせた構成としても、それぞれの形態に付随する作用効果を得られることは言うまでもない。
【００８７】
（実施例７）
実施例７は、図１０に示す構成（形態７）の転写具１１についてである。形態７を採用した場合、転写具１１は、開閉部１２Ａを操作者自らが手で開く必要があるものの、また異なるメーカーの転写具を収納することができないものの、開閉部１２Ａでもって転写部を確実に保護することができる。
【００８８】
そのうえ、筐体１２の形状や表面に模様、キャラクター等を設けたりするなどデザインの自由度がアップし、例えば高級ライターのイメージで転写具を取り扱うことができ、デザイン性、高級感を付与することができる。
【００８９】
（実施例８）
実施例８は、上記実施例７において、図１１に示す構成（形態８）の転写具１１を採用した場合についてである。このようにすることで、上記実施例７の作用効果を得られると共に、操作部１２ｂｂを押し込むだけで、片手でしかもワンタッチで開閉部１２Ａを即座に開状態とすることができるからさらに使い勝手が向上する。
【００９０】
（実施例９）
実施例９は、上記実施例８において、形態９の転写具１１を採用した場合についてである。なお、実施例９では、窓６に嵌め込む透明板６Ａとしてレンズを採用した。このようにすることで、上記実施例８の作用効果を得られると共に、透明板６Ａ（レンズ）によって転写しようとする部位を拡大して見ることができるから、転写部位が見やすくなるばかりでなく、拡大されて確実に把握できることとなり、より一層使いやすくなる。
【００９１】
（実施例１０）
実施例１０は、実施例９において、形態１０の転写具１１を採用した場合についてである。なお、実施例１０では、指配置部７に凹凸形状を形成した。このようにすることで、上記実施例９の作用効果を得られると共に、指で収納部１２Ｂを押さえることができ、また、開閉部１２Ａが巻きばね１４の付勢力によって勢いよく開状態となっても、該開閉部１２Ａと収納部１２Ｂとの間に指を挟んで怪我をすることがなくなり、安全に使用することができる。また、指配置部７に凹凸形状を形成することで、開閉部１２Ａを閉める際に、指が滑ることが抑制され、使い勝手がさらに向上する。
【００９２】
（実施例１１）
実施例１１は、実施例８において、形態１１の転写具１１を採用した場合についてである。なお、実施例１１は、形態９，１０を同時に採用することができないが、上記実施例８の作用効果を得られると共に、車輪８によって転写部による転写角度が安定するから、均一な転写が実現され、この結果、さらに使い勝手が向上する。
【００９３】
なお、以上説明した実施例に限らず、実施例７（形態７）に形態７〜１１の各々の構成を選択可能に組み合わせた構成としても、それぞれの形態に付随する作用効果を得られることは言うまでもない。
【産業上の利用可能性】
【００９４】
本考案に係るカバー機構に挿入される転写具Ｔにおける転写媒体、及び転写具における転写媒体は、上記実施例などでは特に転写媒体について説明しなかったが、被転写体と他の貼着体とを貼り付けるための粘着性の塗膜、被転写体の記載を修正するための白色の塗膜、文字等をマーキングするための着色透明の塗膜、のいずれであってもよい。つまり、本考案に係るカバー機構及び転写具の構造は、液状糊の代用としての転写具であっても、修正液の代用としての転写具、マーカーペンの代用としての転写具であっても、いずれにおいても採用することができる。
【図面の簡単な説明】
【００９５】
【図１】本考案のカバー機構における構成を示し、（ａ）は正面部分断面図、（ｂ）は底面図、（ｃ）は平面図である。
【図２】本考案のカバー機構における構成を示し、（ａ）は平面図、（ｂ）は正面部分断面図、（ｃ）は開閉軸部周辺の断面図である。
【図３】本考案のカバー機構における構成を示し、（ａ）は平面図、（ｂ）は正面部分断面図、（ｃ）は底面図である。
【図４】本考案のカバー機構における構成を示し、（ａ）は平面図、（ｂ）は正面部分断面図、（ｃ）は底面図である。
【図５】本考案のカバー機構における構成を示し、（ａ）は平面図、（ｂ）は正面部分断面図、（ｃ）は底面図である。
【図６】本考案のカバー機構における図３〜図５の開閉軸部周辺の断面図である。
【図７】本考案のカバー機構及び転写具における構成を示し、（ａ）は正面図、（ｂ）は平面図である。
【図８】本考案のカバー機構及び転写具における構成を示し、（ａ）は開閉部の閉状態を、（ｂ）は開閉部の開状態を、それぞれ示す正面図である。
【図９】本考案のカバー機構及び転写具における構成を示し、（ａ）は開閉部の閉状態を、（ｂ）は開閉部の開状態を、それぞれ示す正面図である。
【図１０】本考案の転写具における構成を示し、（ａ）は正面部分断面図、（ｂ）は底面図、（ｃ）は平面図である。
【図１１】本考案の転写具における構成を示す正面部分断面図である。
【符号の説明】
【００９６】
１  カバー機構
２  筐体
２Ａ  開閉部
２Ｂ  収納部
２ａ  開閉軸部
２ｂ  係止部
３  弾性部材
３Ａ  板ばね
３Ｂ  巻きばね
４  巻きばね
５  ストッパ
６  窓
６Ａ  透明板
７  指配置部
８  車輪
１１  転写具
１２  筐体
１２Ａ  開閉部
１２Ｂ  収納部
１２ａ  開閉軸部
１２ｂ  係止部
１３  転写具構造
１３Ａ  送出軸部
１３Ｂ  巻取軸部
１３Ｃ  転写部
１４  巻きばね
【図１】
0003106294.tif 000003
【図２】
0003106294.tif 000004
【図３】
0003106294.tif 000005
【図４】
0003106294.tif 000006
【図５】
0003106294.tif 000007
【図６】
0003106294.tif 000008
【図７】
0003106294.tif 000009
【図８】
0003106294.tif 000010
【図９】
0003106294.tif 000011
【図１０】
0003106294.tif 000012
【図１１】
0003106294.tif 000013